Podtech/llm-jp-corpus-v4-ja_patent huggingface dataset:
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
同軸であり、互いに逆向きに回転し、互いに作用し、相互作用するモータ駆動部のトルクを釣り合わせる２個以上の第１の車輪群と、
前記第１の車輪群の１つにステータが取り付けられ、第１の軌道上の第１の車輪に駆動力を与えるとともに、ロータが機械的連結部に連結され、該機械的連結部は前記ロータを前記第１の車輪群の少なくとも１つの第２の車輪と少なくとも間接的に接続し、第２の軌道上の前記第２の車輪に駆動力を与える前記モータ駆動部と、
ペイロードを連結するため、又は、前記機構自体を別の装置に連結するために装着された同軸接続装置と、を有することを特徴とする差動推進機構。
【請求項２】
前記機構は、導電性又は非導電性材料から成る２個以上の剛体、半剛体又は可撓性の軌道間に設定され、安定にされ、推進駆動される請求項１に記載の機構。
【請求項３】
前記モータ駆動部は、直接に連結するか又は減速伝達を行う１つ又は複数の電動モータである請求項１に記載の機構。
【請求項４】
前記第１の車輪群及び／又は第１の軌道群は、前記第１の車輪群又は第１の軌道群の少なくとも１つに予め負荷をかけることにより、該第１の軌道群又は該第１の車輪群と対応的に装着され、牽引力を供給する請求項１に記載の機構。
【請求項５】
前記第１の車輪群の少なくとも２つは前記第１の軌道群の少なくとも２つと対応的に噛み合わされ、スリップの可能性を低減している請求項１に記載の機構。
【請求項６】
前記機構は前記軌道と相互作用するペイロードキャリヤにより支えられ、安定化される請求項１に記載の機構。
【請求項７】
前記キャリヤは少なくとも３つの固定された車輪を有し、該車輪は前記軌道上に配置され、２つの非平行な軌道上に跨る１つの平面内で前記ペイロードを安定化させる請求項６に記載の機構。
【請求項８】
前記電動モータは、ステータ及び／又は該ステータを支持する車輪に装着された一体型バッテリパックにより少なくとも非直接的に電力供給される請求項３に記載の機構。
【請求項９】
前記電動モータは、前記接続装置に少なくとも非直接的に取り付けられたバッテリパックにより少なくとも非直接的に電力供給される請求項３に記載の機構。
【請求項１０】
前記電動モータは、少なくとも１つのスリップリング接触器により、前記第１の車輪群及び／又は安定化させる車輪の導電面を介して前記軌道から少なくとも非直接的に電力供給される請求項３に記載の機構。
【請求項１１】
前記接続装置は更に１つ以上の機構と相互接続されて、搬送容量及び／又はペイロードの安定性を高める請求項１に記載の機構。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
防腐剤として、以下の式（１）
【化１】
2009501186.tif 000001
（式中、
Ｘは、−ＣＨ2−又は−Ｏ−を表し；
Ｒ1及びＲ2は、互いに独立して、水素原子、ヒドロキシ基、炭素原子数１ないし２０のアルキル基、炭素原子数５ないし７のシクロアルキル基、炭素原子数１ないし６のアルキルカルボニル基、炭素原子数１ないし２０のアルコキシ基、フェニル基又はフェニル−炭素原子数１ないし３のアルキル基を表し；
Ｒ3は、水素原子、炭素原子数１ないし２０のアルキル基、炭素原子数１ないし６のア
ルキルカルボニル基又は炭素原子数１ないし２０のアルコキシ基を表し；及び
Ｒ4は、水素原子、炭素原子数１ないし２０のアルキル基、ヒドロキシ基で置換された
炭素原子数１ないし２０のアルキル基、炭素原子数５ないし７のシクロアルキル基、ヒドロキシ基、ホルミル基、アセトニル基、炭素原子数１ないし６のアルキルカルボニル基、炭素原子数２ないし２０のアルケニル基、カルボキシ基、カルボキシ炭素原子数１ないし３のアルキル基、炭素原子数１ないし３のアルキルカルボニル炭素原子数１ないし３のアルキル基又はカルボキシアリル基を表す。）
で表される化合物の使用。
【請求項２】
式（１ａ）
【化２】
2009501186.tif 000002
（式中、
Ｒ1及びＲ2は、互いに独立して、水素原子、ヒドロキシ基、炭素原子数１ないし２０のアルキル基、炭素原子数５ないし７のシクロアルキル基、炭素原子数１ないし６のアルキルカルボニル基、炭素原子数１ないし２０のアルコキシ基、フェニル基又はフェニル−炭素原子数１ないし３のアルキル基を表し；
Ｒ3は、水素原子、炭素原子数１ないし２０のアルキル基、炭素原子数１ないし６のア
ルキルカルボニル基又は炭素原子数１ないし２０のアルコキシ基を表し；
Ｒ4は、水素原子、炭素原子数１ないし２０のアルキル基、ヒドロキシ基で置換された
炭素原子数１ないし２０のアルキル基、炭素原子数５ないし７のシクロアルキル基、ヒドロキシ基、ホルミル基、アセトニル基、炭素原子数１ないし６のアルキルカルボニル基、炭素原子数２ないし２０のアルケニル基、カルボキシ基、カルボキシ炭素原子数１ないし３のアルキル基、炭素原子数１ないし３のアルキルカルボニル炭素原子数１ないし３のアルキル基又はカルボキシアリル基を表す。）
で表される化合物が使用される、請求項１に記載の使用。
【請求項３】
請求項１又は２のうちいずれか１項に記載の、式（１）、（１ａ）で表される少なくとも１種の化合物を含むパーソナルケア配合物。
【請求項４】
請求項１又は２のうちいずれか１項に記載の、式（１）、（１ａ）で表される少なくとも１種の化合物を含む医薬品配合物。
【手続補正書】
【提出日】平成21年6月30日(2009.6.30)
【手続補正１】
【補正対象書類名】特許請求の範囲
【補正対象項目名】請求項１５
【補正方法】変更
【補正の内容】
【請求項１５】
５−ブロモ−２−メチル−２−ペンテン（ＩＩＩ）は、ステージａ）において、粗産物として、使用されることを特徴とする請求項１３又は１４に記載の方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
式Ｉ、ＩＩ、ＩＩＩ及びＩＶ：
【化１】
2009501148.tif 000001
〔式中、
Ｒは、水素、Ｃ１〜Ｃ２０アルキル、１個以上のＯにより中断されているＣ２〜Ｃ２０アルキルか、−Ｌ−Ｘ−Ｒ２又は−Ｌ−Ｒ２であり；
Ｒ１は、Ｒで提示された意味の１つを有するか又は下記式：
【化２】
2009501148.tif 000002
であり；
Ｒ２は、一価の増感剤又は光開始剤の部分であり；
Ａｒ１及びＡｒ２は、互いに独立して、１つ以上のＣ１〜Ｃ２０アルキル、ハロゲン、ＯＲ３若しくはＣＯＯＲ１により置換されているフェニルであるか；又は
非置換のナフチル、アントリル、フェナントリル若しくはビフェニリルであるか；又は
１つ以上のＣ１〜Ｃ２０アルキル、ＯＨ若しくはＯＲ３により置換されているナフチル、アントリル、フェナントリル若しくはビフェニリルであるか；又は、
−Ａｒ４−Ａ−Ａｒ３若しくは下記式：
【化３】
2009501148.tif 000003
であり；
Ａｒ３は、非置換のフェニル、ナフチル、アントリル、フェナントリル若しくはビフェニリルであるか；又は
１つ以上のＣ１〜Ｃ２０アルキル、ＯＲ３、Ｃ２〜Ｃ１２アルカノイル若しくはベンゾイルにより置換されているフェニル、ナフチル、アントリル、フェナントリル若しくはビフェニリルであり；
Ａｒ４は、フェニレン、ナフチレン、アントリレン又はフェナントリレンであり；
Ａは、直接結合、Ｓ、Ｏ又はＣ１〜Ｃ２０アルキレンであり；
Ｘは、ＣＯ、Ｃ（Ｏ）Ｏ、ＯＣ（Ｏ）、Ｏ、Ｓ又はＮＲ３であり；
Ｌは、Ｃ１〜Ｃ２０アルキレン又は１個以上のＯで中断されているＣ２〜Ｃ２０アルキレンであり；
Ｒ３は、Ｃ１〜Ｃ２０アルキル若しくはＣ１〜Ｃ２０ヒドロキシアルキルであるか；又はＯ（ＣＯ）Ｒ１３により置換されているＣ１〜Ｃ２０アルキルであり；
Ｚは、Ｓ、ＣＯ又はＮＲ３であり；
Ｚ１は、直接結合、ＣＨ２、Ｏ又はＳであり；
Ｒ４及びＲ１１は、互いに独立して、水素、ハロゲン、Ｃ１〜Ｃ８アルキル、Ｃ１〜Ｃ８アルコキシ又はフェニルであり；
Ｒ１３は、Ｃ１〜Ｃ２０アルキルであり；そして
Ｙはアニオンである〕
で示される化合物。
【請求項２】
Ｒが、Ｃ１〜Ｃ２０アルキルであり；
Ｒ１が、水素、Ｃ１〜Ｃ２０アルキル、１個以上のＯにより中断されているＣ２〜Ｃ２０アルキルか、−Ｌ−Ｘ−Ｒ２であるか；又は下記式：
【化５】
2009501148.tif 000004
であり；
Ｒ２が、基（ａ）又は（ｃ）：
【化６】
2009501148.tif 000005
であり；
Ａｒ１が、１つ以上のＯＲ３により置換されているフェニルであるか、又はビフェニル若しくは−Ａｒ４−Ａ−Ａｒ３であり；
Ａｒ２が、１つ以上のＣ１〜Ｃ２０アルキルにより置換されているフェニルであるか、又はビフェニリル、−Ａｒ４−Ａ−Ａｒ３、若しくは下記式：
【化７】
2009501148.tif 000006
であり；
Ａｒ３が、非置換フェニルであるか、又はアセチル若しくはベンゾイルにより置換されているフェニルであり：
Ａｒ４がフェニレンであり；
Ａが、Ｓ又はＯであり；
Ｘが、Ｏであり；
Ｌが、Ｃ１〜Ｃ２０アルキレン又は１個以上のＯで中断されているＣ２〜Ｃ２０アルキレンであり；
Ｒ３が、Ｃ１〜Ｃ２０アルキル若しくはＣ１〜Ｃ２０ヒドロキシアルキルであるか；又はＯ（ＣＯ）Ｒ１３により置換されているＣ１〜Ｃ２０アルキルであり；
Ｒ４及びＲ１１が、水素であり；
Ｒ１３が、Ｃ１〜Ｃ２０アルキルであり；
Ｚが、ＮＲ３であり；
Ｚ１が、直接結合であり；
Ｙが、ＰＦ６又はＣ２〜Ｃ２０ハロアルキルスルホネートである
請求項１記載の式Ｉ及びＩＩの化合物。
【請求項３】
（ａ１）カチオン的若しくは酸触媒的に重合可能な若しくは架橋可能な化合物、又は
（ａ２）酸の作用化において現像液で溶解度を増加する化合物；及び
（ｂ）請求項１記載の式Ｉ、ＩＩ、ＩＩＩ又はＩＶの化合物の少なくとも１つ
を含む、放射線感受性組成物。
【請求項４】
成分（ａ１）又は（ａ２）及び（ｂ）に加えて、追加的な添加剤（ｃ）及び／又は増感剤化合物（ｄ）、並びに場合により更なる光開始剤（ｅ）を含む、請求項３記載の放射線感受性組成物。
【請求項５】
電磁放射線又は電子ビームの作用下で、カチオン的又は酸触媒的に重合可能な又は架橋可能な化合物の光重合又は架橋の方法であって、請求項１記載の式Ｉ、ＩＩ、ＩＩＩ又はＩＶの化合物を光潜在性酸供与体として使用する方法。
【請求項６】
請求項３記載の組成物で少なくとも１面を被覆された被覆基材。
【請求項７】
レリーフ像の生成の方法であって、請求項３記載の組成物が基材に塗布され、次いで像様式に暴露される方法。
【請求項８】
放射線感受性酸供与体として請求項１記載の式Ｉ、ＩＩ、ＩＩＩ又はＩＶの化合物を含むフォトレジスト。
【請求項９】
表面被覆組成物、引掻き抵抗性被覆、耐汚染被覆、防曇被覆、耐腐食被覆、粉末被覆組成物、印刷用インク、ノンインパクト印刷用インク、インクジェット印刷用インク、印刷版、歯科用配合物、歯科用複合材、複合材、ステレオリソグラフィ用樹脂、接着剤、接着防止被覆、相似被覆、光ファイバ用被覆、カラーフィルタ、レジスト材料又は画像記録材料、ホログラフ用樹脂の製造における請求項５記載の方法。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
配列番号41を有する重鎖可変ドメイン及び配列番号51を有する軽鎖可変ドメインを含む抗体又は抗体フラグメントを含有する、骨腫瘍を患う被験体を治療するための薬剤。
【請求項２】
骨腫瘍が原発性腫瘍又は二次性腫瘍である、請求項１に記載の薬剤。
【請求項３】
骨腫瘍がアンドロゲン依存性又はアンドロゲン非依存性である、請求項１又は２に記載の薬剤。
【請求項４】
骨腫瘍が、前立腺癌、乳癌又は肺癌から転移される、請求項１〜３のいずれか１項に記載の薬剤。
【請求項５】
第２の受容体チロシンキナーゼのアンタゴニストと同時投与される、請求項１〜４のいずれか１項に記載の薬剤。
【請求項６】
有効量の抗腫瘍剤と同時投与される、請求項１〜５のいずれか１項に記載の薬剤。
【請求項７】
抗腫瘍剤が化学療法剤である、請求項６に記載の薬剤。
【請求項８】
抗腫瘍剤がドセタキセル又はドキソルビシンである、請求項７に記載の薬剤。
【請求項９】
抗腫瘍剤が放射線療法である、請求項６に記載の薬剤。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
エンド-N-(9-メチル-9-アザビシクロ[3.3.1]ノン-3-イル)-1-メチル-1H-インダゾール-3-カルボキサミド塩酸塩、アルキルパラベンである保存剤、ならびに酢酸緩衝液を含む医薬製剤。
【請求項２】
前記保存剤が、1種または複数のC1〜4アルキルパラベンおよびその塩を含む、請求項1に記載の製剤。
【請求項３】
前記保存剤が、メチルパラベンおよびプロピルパラベンを含む、請求項2に記載の製剤。
【請求項４】
前記保存剤が、多回用投与製剤である、請求項1に記載の製剤。
【請求項５】
エンド-N-(9-メチル-9-アザビシクロ[3.3.1]ノン-3-イル)-1-メチル-1H-インダゾール-3-カルボキサミド塩酸塩、保存剤としてのメチルおよびプロピルパラベンの組合せ、ならびに酢酸緩衝液を含む医薬製剤。
【請求項６】
前記製剤が、多回用投与製剤である、請求項5に記載の製剤。
【請求項７】
エンド-N-(9-メチル-9-アザビシクロ[3.3.1]ノン-3-イル)-1-メチル-1H-インダゾール-3-カルボキサミド塩酸塩、フェノールである保存剤、ならびに酢酸緩衝液およびリン酸緩衝液からなる群から選択される緩衝液を含む医薬製剤。
【請求項８】
前記製剤が、無菌製剤である、請求項7に記載の医薬製剤。
【請求項９】
前記製剤が、多回用投与製剤である、請求項7に記載の製剤。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
ａ）工程（ｃ）で形成されるジヒドロキシ二酸二塩化物が可溶性である溶媒中で芳香族ジヒドロキシ二酸の溶液を形成する工程と、
ｂ）芳香族ジヒドロキシ二酸溶液をハロゲン化剤と接触させる工程と、
ｃ）不活性雰囲気下で溶液を加熱して、変換時間が４時間未満で５０〜１００重量パーセントの芳香族ジヒドロキシ二酸を芳香族ジヒドロキシ二酸二ハロゲン化物へと変換する工程と、
ｄ）溶媒の少なくとも一部を除去する工程と
を含んでなる芳香族ジヒドロキシ二酸二ハロゲン化物の製造方法。
【請求項２】
芳香族二酸二ハロゲン化物および溶媒の重量を基準として、７５〜９９重量パーセントの芳香族ジヒドロキシ二酸二ハロゲン化物、および１〜２５重量パーセントの芳香族ジヒドロキシ二酸二ハロゲン化物のための溶媒を含んでなる沈殿物。
【請求項３】
窒素雰囲気下、約２５℃で１６８時間貯蔵時に、１パーセント未満の芳香族ジヒドロキシ二酸二ハロゲン化物自己重合が生じる、１〜２５重量パーセントの溶媒を含有する精製芳香族ジヒドロキシ二酸二ハロゲン化物組成物。
【手続補正２】
【補正対象書類名】明細書
【補正対象項目名】００３８
【補正方法】変更
【補正の内容】
【００３８】
オレンジ／黄色固体をＮＭＲによって分析したところ、７７．５重量パーセントの２，５-ジヒドロキシテレフタロイル二塩化物および２２．５重量パーセントのヘキサンを含有することがわかった。
次に、本発明の好ましい態様を示す。
1. ａ）工程（ｃ）で形成されるジヒドロキシ二酸二塩化物が可溶性である溶媒中で芳香族ジヒドロキシ二酸の溶液を形成する工程と、
ｂ）芳香族ジヒドロキシ二酸溶液をハロゲン化剤と接触させる工程と、
ｃ）不活性雰囲気下で溶液を加熱して、変換時間が４時間未満で５０〜１００重量パーセントの芳香族ジヒドロキシ二酸を芳香族ジヒドロキシ二酸二ハロゲン化物へと変換する工程と、
ｄ）溶媒の少なくとも一部を除去する工程と
を含んでなる芳香族ジヒドロキシ二酸二ハロゲン化物の製造方法。
2. 芳香族ジヒドロキシ二酸が、２，５−ジヒドロキシ−テレフタル酸、１，５−ジヒドロキシ−２，６−ナフタレンジカルボン酸、２，６−ジヒドロキシ−１，５−ナフタレンジカルボン酸およびそれらの混合物よりなる群から選択される上記１に記載の方法。
3. 溶媒が環状エーテルを含んでなる上記１に記載の方法。
4. 溶媒が、テトラヒドロフラン、テトラヒドロピランまたはそれらの混合物を含んでなる上記２に記載の方法。
5. ハロゲン化剤が、塩化チオニル、臭化チオニル、ホスゲン、塩素、臭素およびそれらの混合物よりなる群から選択される上記１に記載の方法。
6. ハロゲン化剤が、１００パーセントの芳香族二酸を芳香族ジヒドロキシ二酸二ハロゲン化物へと変換するために必要とされる量を基準として、化学量論的過剰で存在する上記１に記載の方法。
7. ｅ）工程（ｃ）から得られたジヒドロキシ二酸二ハロゲン化物を、残留成分の少なくとも一部を溶解しない、二ハロゲン化物のためのさらなる溶媒と組み合わせる工程と、
ｆ）工程（ｅ）の溶媒からジヒドロキシ二酸二ハロゲン化物を回収する工程と
をさらに含んでなる上記１に記載の方法。
8. ジヒドロキシ二酸二ハロゲン化物が工程（ｅ）の溶媒溶液から固体として回収される上記７に記載の方法。
9. 工程（ｅ）の溶媒が、ヘキサン、ヘプタンおよびそれらの混合物よりなる群から選択される上記７に記載の方法。
10. 芳香族二酸二ハロゲン化物および溶媒の重量を基準として、７５〜９９重量パーセントの芳香族ジヒドロキシ二酸二ハロゲン化物、および１〜２５重量パーセントの芳香族ジヒドロキシ二酸二ハロゲン化物のための溶媒を含んでなる沈殿物。
11. 窒素雰囲気下、約２５℃で１６８時間貯蔵時に、１パーセント未満の芳香族ジヒドロキシ二酸二ハロゲン化物自己重合が生じる、１〜２５重量パーセントの溶媒を含有する精製芳香族ジヒドロキシ二酸二ハロゲン化物組成物。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
ピッカリング乳化剤として作用する無機粒子とハイドロフォビンとを含むことを特徴とする疎水性モノマーの水乳濁液。
【請求項２】
前記モノマーがスチレンであり、α−メチルスチレン、環ハロゲン化スチレン、環アルキル化スチレン、アクリロニトリル、アクリル酸又はメタクリル酸とＣ1-8−アルコールとのエステル類、Ｎ−ビニル化合物、ブタジエン、ジビニルベンゼン及びブタンジオールジアクリレートから選択されるコモノマーを併用してもよい請求項１に記載の乳濁液。
【請求項３】
前記無機粒子が、ピロリン酸マグネシウム、硫酸バリウム、酸化亜鉛及びリン酸カルシウムから選択される粒子である請求項１又は２に記載の乳濁液。
【請求項４】
前記ハイドロフォビンが、一般式（Ｉ）で表される：  
Ｘn−Ｃ1−Ｘ1-50−Ｃ2−Ｘ0-5−Ｃ3−Ｘ1-100−Ｃ4−Ｘ1-100−Ｃ5−Ｘ1-50−Ｃ6−Ｘ0-5−Ｃ7−Ｘ1-50−Ｃ8−Ｘm    （Ｉ）  
（式中、Ｘは、２０種の天然アミノ酸（Ｐｈｅ、Ｌｅｕ、Ｓｅｒ、Ｔｙｒ、Ｃｙｓ、Ｔｒｐ、Ｐｒｏ、Ｈｉｓ、Ｇｌｎ、Ａｒｇ、Ｉｌｅ、Ｍｅｔ、Ｔｈｒ、Ａｓｎ、Ｌｙｓ、Ｖａｌ、Ａｌａ、Ａｓｐ、Ｇｌｕ、Ｇｌｙ）のいずれかであり、Ｘは、いずれの場合も、同一であっても異なっていてもよく；Ｘの添字はアミノ酸の数を表し；Ｃはシステイン、アラニン、セリン、グリシン、メチオニン又はトレオニン、を表し、少なくとも４個のＣ基がシステインであり；添字ｎとｍが、相互に独立して、０〜５００の自然数である）請求項１〜３のいずれか１項に記載の乳濁液。  
【請求項５】
前記ハイドロフォビンが一般式（ＩＩ）で表される：  
Ｘn−Ｃ1−Ｘ3-25−Ｃ2−Ｘ0-2−Ｃ3−Ｘ5-50−Ｃ4−Ｘ2-35−Ｃ5−Ｘ2-15−Ｃ6−Ｘ0-2−Ｃ7−Ｘ3-35−Ｃ8−Ｘm      （ＩＩ）  
（式中、Ｘ、Ｃ及びＸの添字は、請求項４で規定した意味を有し；添字ｎとｍが、相互に独立して、０〜３００の自然数である）請求項１〜４のいずれか１項に記載の乳濁液。
【請求項６】
前記ハイドロフォビンが、ｄｅｗＡ型、ｒｏｄＡ型、ｈｙｐＡ型、ｈｙｐＢ型、ｓｃ３型、ｂａｓｆ１型、及びｂａｓｆ２型から選択される請求項１〜５のいずれか１項に記載の乳濁液。
【請求項７】
前記モノマーがスチレンであり、前記無機粒子がピロリン酸マグネシウムを含み、前記ハイドロフォビンが明細書中の配列番号１９（ＳＥＱ  ＩＤ  ＮＯ：１９）で表されるものである請求項１〜６のいずれか１項に記載の乳濁液。
【請求項８】
有機乳化剤又は界面活性剤を含んでいない請求項１〜７のいずれか１項に記載の乳濁液。
【請求項９】
請求項１〜８のいずれか１項に記載の乳濁液の製造方法であって、前記モノマーを、ハイドロフォビンを併用して、ピッカリング乳化剤として作用する無機粒子の存在下で、水に分散することを特徴とする方法。
【請求項１０】
前記乳濁液が、請求項１〜８に記載の特徴の少なくとも一つを有している請求項９に記載の方法。
【請求項１１】
疎水性モノマーの水乳濁液の製造においてハイドロフォビンを使用する方法。
【請求項１２】
前記乳濁液が、請求項１〜８に記載の特徴の少なくとも一つを有している請求項１１に記載の方法。
【請求項１３】
疎水性モノマーを、ピッカリング乳化剤として作用する無機粒子とハイドロフォビンとを使用して、水中で懸濁重合することを特徴とする方法。
【請求項１４】
請求項１〜８のいずれか１項に記載の乳濁液を供給材料として使用する請求項１３に記載の方法。
【請求項１５】
請求項１〜８のいずれか１項に記載の乳濁液を懸濁重合における供給材料としての使用する方法。
【請求項１６】
発泡剤を併用して未発泡又は既発泡の熱可塑性ポリマー粒子の製造方法であって、ポリマー粒子を請求項１３に記載の方法により製造することを特徴とする方法。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
基材上に材料模様を連続的に付着させるための装置であって、
前記基材を供給する基材供給ローラーと、
第１の基材受けローラーであり、前記基材が前記基材供給ローラーから前記基材受けローラーへと広がり、前記基材が前記基材供給ローラーから前記基材受けローラーへと連続的に移動するように前記基材を支持する第１の基材受けローラーと、
第１の模様を定義する開口を含む第１のマスクであり、１以上の前記開口が１００μｍ以下の最小寸法を有する第１のマスクと、
前記第１のマスクを供給する第１のマスク供給ローラーと、
第１のマスク受けローラーであり、前記マスクが前記マスク供給ローラーから前記マスク受けローラーへと広がり、前記第１のマスクが前記第１のマスク供給ローラーから前記第１のマスク受けローラーへと連続的に移動するように前記第１のマスクを支持する第１のマスク受けローラーと、
第１のドラムであり、前記基材及びマスクの供給ローラーより供給されてから前記基材及びマスク受けローラーにより支持されるまでの間に、前記基材と前記第１のマスクとが前記第１のドラムの周辺の一部で接触し、連続的に回転する第１のドラムと、
第１の付着源であり、少なくとも第１の付着材料の一部が前記第１のマスクに設けられた前記開口を通り抜けて前記第１の材料の前記第１の模様が前記基材上に連続的に付着するように、前記第１のドラムの周辺部分に位置する前記第１のマスクの部分に向けて前記第１の付着材料を連続的に誘導するために配置される第１の付着源と、を含む装置。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
ａ）溶媒と、次の構造：
【化１】
2009501286.tif 000001
［式中、
Ａｒ1は
【化２】
2009501286.tif 000002
であり、Ａｒ2は
【化３】
2009501286.tif 000003
である］を有するポリマーとを含んでなるポリマー溶液を形成する工程と、
ｂ）酸素原子を提供するアルキルカルボン酸の存在下で、ａ）のポリマー溶液と、酸化剤とを接触させて、Ａｒ1の少なくとも一部をヒドロキシル化し、オルトヒドロキシル基を有するヒドロキシル化ポリマーを形成する工程と、
ｃ）工程ｂ）のヒドロキシル化ポリマーから繊維を形成する工程と、
ｄ）繊維を加熱して、オルト−ヒドロキシル基の少なくとも一部の閉環を形成する工程と
を含んでなるポリベンゾビスオキサゾール含有繊維の製造方法。
【手続補正２】
【補正対象書類名】明細書
【補正対象項目名】００５６
【補正方法】変更
【補正の内容】
【００５６】
【表２】
2009501286.tif 000004
次に、本発明の好ましい態様を示す。
1.  ａ）溶媒と、次の構造：
2009501286.tif 000005
［式中、
Ａｒ1は
2009501286.tif 000006
であり、Ａｒ2は
2009501286.tif 000007
である］を有するポリマーとを含んでなるポリマー溶液を形成する工程と、
ｂ）酸素原子を提供するアルキルカルボン酸の存在下で、ａ）のポリマー溶液と、酸化剤とを接触させて、Ａｒ1の少なくとも一部をヒドロキシル化し、オルトヒドロキシル基を有するヒドロキシル化ポリマーを形成する工程と、
ｃ）工程ｂ）のヒドロキシル化ポリマーから繊維を形成する工程と、
ｄ）繊維を加熱して、オルト−ヒドロキシル基の少なくとも一部の閉環を形成する工程と
を含んでなるポリベンゾビスオキサゾール含有繊維の製造方法。
2.  Ａｒ1が、
2009501286.tif 000008
である上記１に記載の方法。
3.  Ａｒ2が、
2009501286.tif 000009
である上記２に記載の方法。
4.  Ａｒ1が、
2009501286.tif 000010
である上記１に記載の方法。
5.  Ａｒ2が、
2009501286.tif 000011
である上記４に記載の方法。
6.  酸化剤が、ニトロ硫酸、四酢酸鉛または硝酸ナトリウムである上記１に記載の方法。
7.  酸化剤がニトロ硫酸である上記６に記載の方法。
8.  アルキルカルボン酸がギ酸または酢酸である上記１に記載の方法。
9.  アルキルカルボン酸が酢酸である上記８に記載の方法。
10.  加熱が１７０〜２８０℃の範囲内である上記１に記載の方法。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
ケラチン含有繊維の染色方法であって、式
【化１】
2009501281.tif 000001
［式中、Ｒ1、Ｒ2、Ｒ3及びＲ4は、互いに独立して、水素原子；炭素原子数１ないし２０のアルキル基；炭素原子数１ないし２０のアルコキシ基；炭素原子数３ないし６のシクロアルキル基；ハロゲン原子；ＮＯ2；ＯＨ；ＳＨ；又は式（１ａ）
【化２】
2009501281.tif 000002
（式中、Ｒ5は、水素原子又は炭素原子数１ないし２０のアルキル基を表し；
Ｒ6、Ｒ7及びＲ8は、互いに独立して、水素原子；炭素原子数１ないし２０のアルキル基
；炭素原子数４ないし１２のシクロアルキル基；炭素原子数６ないし１３のアラルキル基；フェニル−炭素原子数１ないし５のアルキル基；を表すか、又はＲ6及びＲ7は、結合している窒素原子と一緒になって１個又はそれ以上の−Ｏ−又は−ＮＨ−基により中断され得る炭素原子数４ないし１２員の複素環を形成する。）で表される基を表し；
Ｙ1は、炭素原子数１ないし１０のアルキレン基；炭素原子数５ないし１０のシクロアル
キレン基；炭素原子数５ないし１０のアリーレン基；又は炭素原子数５ないし１０のアリーレン−（炭素原子数１ないし１０のアルキレン）基を表し；
Ｔ1は、式（１ｂ）
【化３】
2009501281.tif 000003
で表される基を表すか、又は−Ｏ−（Ｘ3）sを表し；
Ｑ1は、飽和の、芳香族の又はヘテロ芳香族の基であるカチオン性２価基を表すか；又は
式（１ｃ）
【化４】
2009501281.tif 000004
で表される基を表し；
Ｚ1は、−Ｃ（Ｏ）−；−（ＣＨ2ＣＨ2−Ｏ）1-5−；−Ｃ（Ｏ）Ｏ−；−ＯＣＯ−；ＣＯＮ（Ｒ9）−；−Ｘ4−ＣＯＮ（Ｒ9）−；−（Ｒ9）ＮＣ（Ｏ）−；−Ｏ−；−Ｓ−；−Ｓ（Ｏ）−；又は−Ｓ（Ｏ）2−を表し；
Ｒ9、Ｒ10及びＲ11は、互いに独立して、水素原子；炭素原子数１ないし１４のアルキル
基；炭素原子数２ないし１４のアルケニル基；炭素原子数６ないし１０のアリール基；炭素原子数６ないし１０のアリール−炭素原子数１ないし１０のアルキル基；又は炭素原子数１ないし１０のアルキル（炭素原子数５ないし１０のアリール）基を表し；
Ｘ1、Ｘ2、Ｘ3及びＸ4は、互いに独立して、炭素原子数１ないし１８のアルキレン基；−（ＣＯ）−炭素原子数１ないし１８のアルキレン基；炭素原子数１ないし１８のアリーレン基；炭素原子数６ないし１８のアリーレン−（炭素原子数１ないし１２のアルキレン）基；又は−（ＯＣＨ2ＣＨ2）n−Ｏ−を表し；
ｎは、１ないし５の数を表し；
ｐ、ｒ、ｓ、ｔ及びｕは、互いに独立して、０又は１を表し；
ｍは、１又は２を表し；
Ｕは、ｍが１を表す場合、水素原子を表し；及び
Ｕは、ｍが２を表す場合、直接結合を表す。］で表わされる少なくとも１種のスルフィド染料、それらの塩、異性体、水和物及び他の溶媒和物で該繊維を処理することを含む方法。
【請求項２】
（ａ）０．００１ないし５質量％の、請求項１で定義した式（１）で表わされる少なくとも１種の染料、
（ｂ）１ないし４０質量％の溶媒、及び、
（ｃ）０．０１ないし２０質量％の補助剤
を含む毛髪染色組成物。
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
哺乳動物における１以上の消化管間質腫瘍の治療における使用のための医薬の製造における式1：
【化１】
2009501234.tif 000001
［式中、それぞれ独立して：
Wは酸素または硫黄であり；
Qは酸素、NR、N(アシル)または結合であり；
X-は医薬的に許容される酸の共役塩基であり；
Rはそれぞれ、独立して水素、アルキル、シクロアルキル、ヘテロシクロアルキル、アラルキル、ヘテロアリールおよびヘテロアラルキルからなる群から選択され；
R1はヒドロキシル、アルコキシル、-OC(O)R8、-OC(O)OR9、-OC(O)NR10R11、-OSO2R12、-OC(O)NHSO2NR13R14、-NR13R14またはハライドであり；R2は水素、アルキルまたはアラルキルであるか；またはR1およびR2は結合している炭素と一緒になって、-(C=O)-、-(C=N-OR)-、-(C=N-NHR)-または-(C=N-R)-を示し；
R3およびR4はそれぞれ、独立して水素、アルキル、アルケニル、アルキニル、アリール、シクロアルキル、ヘテロシクロアルキル、アラルキル、ヘテロアリール、ヘテロアラルキルおよび-[(CR2)p]-R16からなる群から選択されるか；またはR3はR4と一緒になって、適宜置換されていてもよい4-8員ヘテロ環を示し；
R5はH、アルキル、アラルキルおよび式1a：
【化２】
2009501234.tif 000002
1a
（式中、R17は独立して水素、ハライド、ヒドロキシル、アルコキシル、アリールオキシ、アシルオキシ、アミノ、アルキルアミノ、アリールアミノ、アシルアミノ、アラルキルアミノ、ニトロ、アシルチオ、カルボキサミド、カルボキシル、ニトリル、-COR18、-CO2R18、-N(R18)CO2R19、-OC(O)N(R18)(R19)、-N(R18)SO2R19、-N(R18)C(O)N(R18)(R19)および-CH2O-ヘテロシクリルからなる群から選択される）
で示される基からなる群から選択され；
R6およびR7はともに水素であるか；またはR6およびR7は一緒になって結合を形成し；
R8は水素、アルキル、アルケニル、アルキニル、アリール、シクロアルキル、ヘテロシクロアルキル、アラルキル、ヘテロアリール、ヘテロアラルキルまたは-[(CR2)p]-R16であり；
R9はアルキル、アルケニル、アルキニル、アリール、シクロアルキル、ヘテロシクロアルキル、アラルキル、ヘテロアリール、ヘテロアラルキルまたは-[(CR2)p]-R16であり；
R10およびR11はそれぞれ、独立して水素、アルキル、アルケニル、アルキニル、アリール、シクロアルキル、ヘテロシクロアルキル、アラルキル、ヘテロアリール、ヘテロアラルキルおよび-[(CR2)p]-R16からなる群から選択されるか；またはR10およびR11はそれらが結合している窒素と一緒になって、適宜置換されていてもよい4-8員ヘテロ環を示し；
R12はアルキル、アルケニル、アルキニル、アリール、シクロアルキル、ヘテロシクロアルキル、アラルキル、ヘテロアリール、ヘテロアラルキルまたは-[(CR2)p]-R16であり；
R13およびR14はそれぞれ、独立して水素、アルキル、アルケニル、アルキニル、アリール、シクロアルキル、ヘテロシクロアルキル、アラルキル、ヘテロアリール、ヘテロアラルキルおよび-[(CR2)p]-R16からなる群から選択されるか；またはR13およびR14はそれらが結合している窒素と一緒になって、適宜置換されていてもよい4-8員ヘテロ環を示し；
R16はそれぞれ、独立して水素、ヒドロキシル、アシルアミノ、-N(R18)COR19、-N(R18)C(O)OR19、-N(R18)SO2(R19)、-CON(R18)(R19)、-OC(O)N(R18)(R19)、-SO2N(R18)(R19)、-N(R18)(R19)、-OC(O)OR18、-COOR18、-C(O)N(OH)(R18)、-OS(O)2OR18、-S(O)2OR18、-OP(O)(OR18)(OR19)、-N(R18)P(O)(OR18)(OR19)および-P(O)(OR18)(OR19)からなる群から選択され；
pは1、2、3、4、5または6であり；
R18はそれぞれ、独立して水素、アルキル、アリール、シクロアルキル、ヘテロシクロアルキル、アラルキル、ヘテロアリールおよびヘテロアラルキルからなる群から選択され；
R19はそれぞれ、独立して水素、アルキル、アリール、シクロアルキル、ヘテロシクロアルキル、アラルキル、ヘテロアリールおよびヘテロアラルキルからなる群から選択されるか；またはR18はR19と一緒になって、適宜置換されていてもよい4-8員環であり；
R20、R21、R22、R24およびR25はそれぞれ、独立してアルキルであり；
R23はアルキル、-CH2OH、-CHO、-COOR18または-CH(OR18)2であり；
R26およびR27はそれぞれ、独立して水素、アルキル、アリール、シクロアルキル、ヘテロシクロアルキル、アラルキル、ヘテロアリールおよびヘテロアラルキルからなる群から選択され；
式1の立体中心における絶対立体化学はRもしくはSまたはその混合であることができ、二重結合の立体化学はEもしくはZまたはその混合であることができる］
で示されるヒドロキノンアンサマイシン化合物の使用。
【請求項２】
ヒドロキノンアンサマイシン化合物が式3：
【化３】
2009501234.tif 000003
［式中、X-はクロリド、ブロミド、ヨーダイド、H2PO4-、HSO4-、メチルスルホネート、ベンゼンスルホネート、p-トルエンスルホネート、トリフルオロメチルスルホネート、10-カンファースルホネート、ナフタレン-1-スルホン酸-5-スルホネート、エタン-1-スルホン酸-2-スルホネート、シクラミン酸塩、チオシアン酸塩、ナフタレン-2-スルホネートおよびシュウ酸塩からなる群から選択される］
で示される請求項１記載の使用。
【請求項３】
ヒドロキノンアンサマイシン化合物が17-アリルアミノ-17-デメトキシ-18,21-ジヒドロゲルダナマイシンの医薬的に許容される塩である、請求項１記載の使用。
【請求項４】
ヒドロキノンアンサマイシンが17-アリルアミノ-17-デメトキシ-18,21-ジヒドロゲルダナマイシンの塩酸塩である、請求項１記載の使用。
【請求項５】
哺乳動物がヒトである、請求項１〜４のいずれか記載の使用。
【請求項６】
ヒドロキノンアンサマイシン化合物の投与方法が吸入、経口、静脈内、舌下、眼内、経皮、直腸、膣内、局所、筋肉内、動脈内、髄腔内、皮下、口腔または鼻腔である、請求項１〜５のいずれか記載の使用。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
経口投薬単位において、ＤＶＳ（Ｏ−デスメチルベンラファキシンスクシネート）と非水溶性充填剤とを少なくとも含むコアを含むスーパーバイオアベイラブルなＤＶＳ持続放出組成物であって、少なくとも約１時間の遅延放出と数時間にわたる持続放出とが起こり、約１２時間〜１４時間以内に約８５％を超える総放出量が提供される、スーパーバイオアベイラブルなＤＶＳ組成物。
【請求項２】
約２時間の遅延放出が起こり、約１２時間〜１４時間以内に約９５％を超える総放出量が提供される、請求項１に記載のスーパーバイオアベイラブルなＤＶＳ組成物。
【請求項３】
前記経口投薬単位が、エチルセルロースを含む制御放出コートをさらに含む、請求項１または２に記載のスーパーバイオアベイラブルなＤＶＳ組成物。
【請求項４】
前記制御放出コートが、制御放出コートの重量に基づいて、約１０重量％のヒプロメロースをさらに含む、請求項３に記載のスーパーバイオアベイラブルなＤＶＳ組成物。
【請求項５】
前記制御放出コートが、制御放出コートの重量に基づいて、約９０重量％のエチルセルロース分散物を含む、請求項３または４に記載のスーパーバイオアベイラブルなＤＶＳ組成物。
【請求項６】
前記制御放出コートが、経口投薬単位の約５重量％〜２０重量％で存在する、請求項３〜５のいずれか１項に記載のスーパーバイオアベイラブルなＤＶＳ組成物。
【請求項７】
前記コアがＤＶＳおよび微結晶性セルロースを含み、前記経口投薬単位が制御放出コートおよび腸溶性コートをさらに含む、請求項３〜６のいずれか１項に記載のスーパーバイオアベイラブルなＤＶＳ組成物。
【請求項８】
前記コアと前記制御放出コートとの間にシールコートをさらに含む、請求項３〜７のいずれか１項に記載のスーパーバイオアベイラブルなＤＶＳ組成物。
【請求項９】
前記コアがＤＶＳ、微結晶セルロースおよびマトリクス形成ポリマーを含み、前記経口投薬単位が腸溶性コートをさらに含む、請求項１〜８のいずれか１項に記載のスーパーバイオアベイラブルなＤＶＳ組成物。
【請求項１０】
前記マトリクス形成ポリマーがヒプロメロースである、請求項９に記載のスーパーバイオアベイラブルなＤＶＳ組成物。
【請求項１１】
前記コアがタルクをさらに含む、請求項９または１０に記載のスーパーバイオアベイラブルなＤＶＳ組成物。
【請求項１２】
前記コアが、総経口投薬単位の
約４４〜４６重量％のＤＶＳ
約１２〜１４重量％のヒプロメロース
約２１〜２２重量％の微結晶性セルロース
約２〜４重量％のタルク
約１％の滑沢剤
を含む、請求項１〜１１のいずれか１項に記載のスーパーバイオアベイラブルなＤＶＳ組成物。
【請求項１３】
ＤＶＳが、前記経口投薬単位の４０〜６０重量％を構成する、請求項１〜１１のいずれか１項に記載のスーパーバイオアベイラブルなＤＶＳ組成物。
【請求項１４】
前記経口投薬単位が、３７．５ｍｇ〜３００ｍｇの範囲でＯＤＶを含む、請求項１〜１３のいずれか１項に記載のスーパーバイオアベイラブルなＤＶＳ組成物。
【請求項１５】
前記経口投薬単位が、２００ｍｇ  ＯＤＶ強度の投薬単位である、請求項１４に記載のスーパーバイオアベイラブルなＤＶＳ組成物。
【請求項１６】
前記経口投薬単位が、１５０ｍｇ  ＯＤＶ強度の投薬単位である、請求項１４に記載のスーパーバイオアベイラブルなＤＶＳ組成物。
【請求項１７】
前記経口投薬単位が、１００ｍｇ  ＯＤＶ強度の投薬単位である、請求項１４に記載のスーパーバイオアベイラブルなＤＶＳ組成物。
【請求項１８】
前記経口投薬単位が、５０ｍｇ  ＯＤＶ強度の投薬単位である、請求項１４に記載のスーパーバイオアベイラブルなＤＶＳ組成物。
【請求項１９】
前記腸溶性コートが、経口投薬単位の１０〜２０重量％を構成する請求項７〜１８のいずれかに記載のスーパーバイオアベイラブルなＤＶＳ組成物。
【請求項２０】
前記腸溶性コートが、メタクリル酸コポリマー、クエン酸トリエチル、水酸化ナトリウムおよびタルクを含む、請求項７〜１９のいずれか１項に記載のスーパーバイオアベイラブルなＤＶＳ組成物。
【請求項２１】
前記腸溶性コートが、経口投薬単位の
約７〜９重量％のEudragit L30D-55
約０．７〜１重量％のクエン酸トリエチル
約１〜１．５重量％の水酸化ナトリウム
約４〜５重量％のタルク
を含む、請求項７〜２０のいずれか１項に記載のスーパーバイオアベイラブルなＤＶＳ組成物。
【請求項２２】
医薬を調製する際の請求項１〜２１のいずれかに記載のスーパーバイオアベイラブルなＤＶＳ組成物の使用。
【請求項２３】
請求項１〜２１のいずれか１項に記載のスーパーバイオアベイラブルなＤＶＳ組成物を含む容器を備える薬学的パック。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
患者のハンチントン病の１以上の症状、より詳細には、不随意舞踏病、振顫および単収縮のような不随意運動、並びに歩行悪化から選択される症状、の進行を停止させるまたは遅らせることに用いるための、３，１１ｂ−シス−ジヒドロテトラベナジンを含んでなる医薬組成物。
【請求項２】
ハンチントン病に関与する突然変異遺伝子を有すると判定された患者の予防的治療に用いるための、３，１１ｂ−シス−ジヒドロテトラベナジンを含んでなる医薬組成物。
【請求項３】
ＨＤ遺伝子の突然変異型を有するが未だこの疾患の症状を発現していない１５〜５０歳の患者の予防的治療に用いるための、３，１１ｂ−シス−ジヒドロテトラベナジンを含んでなる医薬組成物であって、予防的治療がハンチントン病に関連した症状の発症を防止するまたは遅らせるためのものである、医薬組成物。
【請求項４】
３，１１ｂ−シス−ジヒドロテトラベナジンが、実質的に純粋な形態、例えば異性体純度が９０％を上回り、典型的には９５％を上回り、更に好ましくは９８％を上回る、請求項１〜３のいずれか一項に記載の医薬組成物。
【請求項５】
３，１１ｂ−シス−ジヒドロテトラベナジンが、（＋）−異性体形態である、請求項１〜４のいずれか一項に記載の医薬組成物。
【請求項６】
３，１１ｂ−シス−ジヒドロテトラベナジンが、式（Ｉａ）
【化１】
2009501202.tif 000001
を有する、請求項１〜５のいずれか一項に記載の医薬組成物。
【請求項７】
ジヒドロテトラベナジンが、酸付加塩の形態である、請求項１〜６のいずれか一項に記載の医薬組成物。
【請求項８】
塩が、メタンスルホン酸塩である、請求項７に記載の医薬組成物。
【請求項９】
シス−ジヒドロテトラベナジンを投与される患者が、ＩＴ−１５遺伝子上のＣＡＧ反復数が少なくとも３５であり、更に典型的には少なくとも４０であり、例えば少なくとも４５であるかまたは少なくとも５０である遺伝子の突然変異型を有する、請求項１〜８のいずれか一項に記載の医薬組成物。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
中枢神経系障害の治療用医薬の調製のための、成体神経幹細胞（ａＮＳＣ）の使用。
【請求項２】
炎症を低減させることにより組織防御を誘導するための医薬の調製のための、幹細胞の使用。
【請求項３】
前記炎症が中枢神経系障害に関連したものである、請求項２に記載の使用。
【請求項４】
中枢性寛容および／または末梢性寛容を誘導するための医薬の調製のための、幹細胞の使用。
【請求項５】
中枢神経系浸潤性前炎症性Ｔ細胞のアポトーシスを誘導するための医薬の調製のための、幹細胞の使用。
【請求項６】
中枢神経系障害に関連した炎症（神経炎症）を低減させることにより、組織防御を誘導するための医薬の調製のための幹細胞の使用であって、炎症に関連するタイムウィンドウで中枢神経系障害に罹患した患者に前記幹細胞を投与してもよい、前記使用。
【請求項７】
中枢神経系障害において中枢性寛容および／または末梢性寛容を誘導するための医薬の調製のための幹細胞の使用であって、炎症に関連するタイムウィンドウで中枢神経系障害に罹患した患者に前記幹細胞を投与してもよい、前記使用。
【請求項８】
前記幹細胞が胚性幹細胞でない、請求項１〜７のいずれか１項に記載の使用。
【請求項９】
前記幹細胞が成体多能性体性幹細胞である、請求項１〜８のいずれか１項に記載の使用。
【請求項１０】
前記幹細胞がａＮＳＣである、請求項９に記載の使用。
【請求項１１】
前記幹細胞が成体神経前駆細胞である、請求項１〜１０のいずれか１項に記載の使用。
【請求項１２】
前記ａＮＳＣが成体脳または脊髄由来である、請求項１〜１０のいずれか１項に記載の使用。
【請求項１３】
前記幹細胞が炎症部位への標的化部分を含んでなる、請求項１〜１２のいずれか１項に記載の使用。
【請求項１４】
前記幹細胞がプロアポトーシス分子を発現している、請求項１〜１３のいずれか１項に記載の使用。
【請求項１５】
前記治療を中枢神経系障害の発症後に行う、請求項１〜１４のいずれか１項に記載の使用。
【請求項１６】
前記医薬が神経変性障害の治療用である、請求項１〜１５のいずれか１項に記載の使用。
【請求項１７】
前記医薬が中枢神経系障害の治療用であり、かつ該中枢神経系障害が、認知症、多発性硬化症、筋萎縮性側索硬化症、アルツハイマー病、ハンチントン病、パーキンソン病、脳腫瘍、脊髄損傷および虚血性脳卒中からなる群より選択される、請求項１〜１６のいずれか１項に記載の使用。
【請求項１８】
前記医薬が、慢性炎症を特徴とする全身性障害または臓器特異的障害の治療用である、請求項１〜５、８〜１４のいずれか１項に記載の使用。
【請求項１９】
前記医薬が、関節リウマチまたはＩ型糖尿病の治療用である、請求項１８に記載の使用。
【手続補正書】
【提出日】平成21年5月28日(2009.5.28)
【手続補正１】
【補正対象書類名】特許請求の範囲
【補正対象項目名】請求項１
【補正方法】変更
【補正の内容】
【請求項１】
グリセリンの水素添加方法であって、
気相中、触媒の存在下、温度が約１６０℃から約２６０℃、圧力が約１０から約３０バール、水素とグリセリンの比率が４００：１から約６００：１、滞留時間が約０．０１から約２．５秒で、グリセリンを含む供給原料を水素含有気流と接触させて、水素添加させる方法。
【手続補正２】
【補正対象書類名】明細書
【補正対象項目名】０００９
【補正方法】変更
【補正の内容】
【０００９】
Ｄｅｓａｒｉら、Ａｐｐｌｉｅｄ  Ｃａｔａｌｙｓｉｓ  Ａ２８１，２２５−２３１（２００５）には、グリセリンの液相水素添加に銅／クロム触媒を使用する他の方法が記載されている。しかしながら、転化率は低く、記載されている転化率は３０％未満である。これは触媒が失活するためであることが示唆され、試験間の触媒の再活性化が必要であった。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
ＤＮＡ結合領域およびポリメラーゼ領域を含むキメラＤＮＡポリメラーゼであって、前記ＤＮＡ結合領域が配列番号２のアミノ酸位置１３、１６、４０、４１、４５、５５、５６、６１もしくは６３、またはＳｓｏ７ｄ様タンパク質中の対応する位置に１つ以上の変異を有する、キメラＤＮＡポリメラーゼ。
【請求項２】
前記１つ以上の変異が、Ｅ１３Ｑ、Ｉ１６Ｔ、Ｔ４０Ｓ、Ｇ４１Ａ、Ｖ４５Ｌ、Ｌ５５Ｖ、Ｑ５６Ｄ、Ｑ６１Ｅ、およびＫ６３Ｒ、またはＳｓｏ７ｄ様タンパク質中の対応する変異からなる群から選択される、請求項１に記載のキメラＤＮＡポリメラーゼ。
【請求項３】
前記ＤＮＡ結合領域が、Ｓｓｈ７ｂ、ＲｉｂｏＰ３、Ｓｔｏ７ｅ、Ｓａｃ７ｄ、Ｓａｃ７ｅおよびＳａｃ７ａからなる群から選択される、請求項１に記載のキメラＤＮＡポリメラーゼ。
【請求項４】
前記ＤＮＡ結合領域が、配列番号８、９、１０、１２、１４、および１６からなる群から選択される、請求項３に記載のキメラＤＮＡポリメラーゼ。
【請求項５】
ＤＮＡ結合領域およびポリメラーゼ領域を含むキメラＤＮＡポリメラーゼであって、前記ＤＮＡ結合領域が配列番号２のアミノ酸位置４０、４１、もしくは４５、またはＳｓｏ７ｄ様タンパク質中の対応する位置に１つ以上の変異を有する、キメラＤＮＡポリメラーゼ。
【請求項６】
前記１つ以上の変異が、Ｔ４０Ｓ、Ｇ４１Ａ、およびＶ４５Ｌ、またはＳｓｏ７ｄ様タンパク質中の対応する変異からなる群から選択される、請求項５に記載のキメラＤＮＡポリメラーゼ。
【請求項７】
前記ＤＮＡ結合領域が、Ｓｓｈ７ｂ、ＲｉｂｏＰ３、Ｓｔｏ７ｅ、Ｓａｃ７ｄ、Ｓａｃ７ｅ、およびＳａｃ７ａからなる群から選択される、請求項５に記載のキメラＤＮＡポリメラーゼ。
【請求項８】
前記ＤＮＡ結合領域が、配列番号８、９、１０、１２、１４、および１６からなる群から選択される、請求項７に記載のキメラＤＮＡポリメラーゼ。
【請求項９】
ＤＮＡ結合領域およびポリメラーゼ領域を含むキメラＤＮＡポリメラーゼであって、前記ＤＮＡ結合領域が配列番号２のアミノ酸位置４０、４１、４５、５５、６１もしくは６３、またはＳｓｏ７ｄ様タンパク質中の対応する位置に１つ以上の変異を有する、キメラＤＮＡポリメラーゼ。
【請求項１０】
前記ＤＮＡ結合領域変異が、Ｔ４０Ｓ、Ｇ４１Ａ、Ｖ４５Ｌ、Ｌ５５Ｖ、Ｑ６１ＥもしくはＫ６３Ｒ、またはＳｓｏ７ｄ様タンパク質中の対応する変異からなる群から選択される、請求項９に記載のキメラＤＮＡポリメラーゼ。
【請求項１１】
前記ＤＮＡ結合領域が、Ｓｓｈ７ｂ、ＲｉｂｏＰ３、Ｓｔｏ７ｅ、Ｓａｃ７ｄ、Ｓａｃ７ｅ、およびＳａｃ７ａからなる群から選択される、請求項９に記載のキメラＤＮＡポリメラーゼ。
【請求項１２】
前記ＤＮＡ結合領域が、配列番号８、９、１０、１２、１４、および１６からなる群から選択される、請求項１１に記載のキメラＤＮＡポリメラーゼ。
【請求項１３】
ＤＮＡ結合領域およびポリメラーゼ領域を含むキメラＤＮＡポリメラーゼであって、前記ＤＮＡ結合領域が配列番号２のアミノ酸位置１３、１６、４０、４５、５５、５６、および６３、またはＳｓｏ７ｄ様タンパク質中の対応する位置に変異を有する、キメラＤＮＡポリメラーゼ。
【請求項１４】
前記変異が、Ｅ１３Ｑ、Ｉ１６Ｔ、Ｔ４０Ｓ、Ｖ４５Ｌ、Ｌ５５Ｖ、Ｑ５６Ｄ、およびＫ６３Ｒ、またはＳｓｏ７ｄ様タンパク質中の対応する変異である、請求項１３に記載のキメラＤＮＡポリメラーゼ。
【請求項１５】
ＤＮＡ結合領域およびポリメラーゼ領域を含むキメラＤＮＡポリメラーゼであって、前記ＤＮＡ結合領域が配列番号４のアミノ酸配列を含む、キメラＤＮＡポリメラーゼ。
【請求項１６】
前記ＤＮＡ結合領域がＳｓｈ７ｂ、ＲｉｂｏＰ３、Ｓｔｏ７ｅ、Ｓａｃ７ｄ、Ｓａｃ７ｅ、およびＳａｃ７ａからなる群から選択される、請求項１３に記載のキメラＤＮＡポリメラーゼ。
【請求項１７】
前記ＤＮＡ結合領域が配列番号８、９、１０、１２、１４および１６からなる群から選択される、請求項１６に記載のキメラＤＮＡポリメラーゼ。
【請求項１８】
ＤＮＡ結合領域およびポリメラーゼ領域を含むキメラＤＮＡポリメラーゼであって、前記ＤＮＡ結合領域が配列番号２のアミノ酸位置１３、１６、４０、４１、４５、５５、５６、６１、および６３、またはＳｓｏ７ｄ様タンパク質中の対応する位置に変異を有する、キメラＤＮＡポリメラーゼ。
【請求項１９】
前記ポリメラーゼ領域が古細菌ＤＮＡポリメラーゼを含む、請求項１、５、９、１３、１５、または１８のいずれか一項に記載のキメラＤＮＡポリメラーゼ。
【請求項２０】
前記ポリメラーゼ領域が熱安定性ポリメラーゼ活性を有する、請求項１、５、９、１３、１５、または１８のいずれか一項に記載のキメラＤＮＡポリメラーゼ。
【請求項２１】
前記ポリメラーゼ領域がＰｆｕ  ＤＮＡポリメラーゼを含む、請求項１、５、９、１３、１５または１８のいずれか一項に記載のキメラＤＮＡポリメラーゼ。
【請求項２２】
前記ポリメラーゼ領域が配列番号１８のアミノ酸配列と少なくとも９５％は同一である、請求項２１に記載のキメラＤＮＡポリメラーゼ。
【請求項２３】
前記ポリメラーゼ領域がＴａｑ  ＤＮＡポリメラーゼを含む、請求項１、５、９、１３、１５または１８のいずれか一項に記載のキメラＤＮＡポリメラーゼ。
【請求項２４】
配列番号２０のアミノ酸配列を含む、キメラＤＮＡポリメラーゼ。
【請求項２５】
請求項１、５、９、１３、１５または１８、または２４のいずれか一項に記載のＤＮＡポリメラーゼを含む組成物。
【請求項２６】
請求項１、５、９、１３、１５または１８、または２４のいずれか一項に記載のキメラＤＮＡポリメラーゼをコードする、単離された核酸。
【請求項２７】
請求項２６に記載の核酸を含む、発現ベクター。
【請求項２８】
請求項２７に記載のベクターで形質移入される、宿主細胞。
【請求項２９】
請求項１、５、９、１３、１５または１８、または２４のいずれか一項に記載のキメラＤＮＡポリメラーゼ、およびそのための包装材料を含むキット。
【請求項３０】
ａ）請求項１、５、９、１３、１５または１８、または２４のいずれか一項に記載のキメラＤＮＡポリメラーゼを提供するステップと、
ｂ）前記キメラＤＮＡポリメラーゼを核酸鋳型に接触させることで、前記酵素のＤＮＡ合成を可能にするステップと、
を含む、ＤＮＡを合成する方法。
【請求項３１】
前記ポリメラーゼ領域が変異ポリメラーゼを含む、請求項１、５、９、１３、１５または１８のいずれか一項に記載のキメラＤＮＡポリメラーゼ。
【請求項３２】
前記変異ポリメラーゼが、ウラシル検知活性の低下をもたらすＶ９３Ｒ、Ｖ９３Ｅ、Ｖ９３Ｄ、Ｖ９３ＫまたはＶ９３Ｎ変異を有する、請求項３１に記載のキメラＤＮＡポリメラーゼ。
【請求項３３】
前記変異ポリメラーゼが、３’−５’エキソヌクレアーゼ活性低下をもたらすＤ１４１Ａおよび／またはＥ１４３Ａ変異を有する、請求項３１に記載のキメラＤＮＡポリメラーゼ。